(57)【要約】【課題】空気圧を用いて発射する射撃装置を提供する。【解決手段】電磁弁２５により圧力解放用チャンネル３２の開閉が制御され、ピストン４０の前端気圧室及び後端気圧室の圧力差が改変され、圧縮ガスが先ずフローガイド５０の第一フローガイド孔から周囲の副通気路に進入し、押出管８０が前に向けて発射位置まで送られ、第二フローガイド孔から中間の主通気路に注入された後、押出管８０の射撃用通気路から大量に噴出されて弾丸を発射させる。空気圧を用いた発射が全体的によりスムーズになり、且つ故障率が低下し、発射速度が増すという効果を有する。【選択図】図１
0003203343.tif 000002
【実用新案登録請求の範囲】
【請求項１】
気筒、後部、電磁弁、調整体、ピストン、フローガイド、活動ロッド、前部、押出管、および第一ばねを備え、
前記気筒は、中空管状構造を有し、且つ前端及び後端に第一管口及び第二管口がそれぞれ形成されており、底部にガス供給管と接続可能である第一吸気口が設けられており、
前記後部は、前端が前記気筒の前記第二管口に結合されており、前段部に第一軸穴が内設されており、後段部に前記第一軸穴に連通するねじ穴が設けられており、底部に前記第一軸穴に連通する圧力解放孔が設けられており、前記圧力解放孔の底端には圧力解放室を有し、
前記電磁弁は、前記圧力解放室の下方に連結されており、前記電磁弁の中間に前記圧力解放室の開閉を制御するのに用いられる活動式プラグが設けられており、前記活動式プラグの下段部が中空体であり第一排気口が設けられており、前記電磁弁の底部に第二排気口が設けられており、前記圧力解放室の内部のガスが前記第一排気口を経由して前記第二排気口から排出可能であり、
前記調整体は、前記後部の前記第一軸穴に内設されておりかつ前記ねじ穴に螺合されており、末段がねじ山体として設けられており、前段が圧力解放用チャンネルを有し、前記圧力解放用チャンネルの末端が前記圧力解放孔と連通しており、前記圧力解放用チャンネルの前端に流通孔が設けられており、
前記ピストンは、前記第二管口内に覆設されており、前段に結合孔が設けられており、末段に前記結合孔と連通する凹穴が設けられており、前に移動すると前記調整体の前端面との間に第一隙間が形成されており、
前記フローガイドは、前記気筒の前端に結合されており、前段が第一内壁を有する管継手が形成されており、後段に第二内壁を有するリング体が形成されており、前記第二内壁が前記第一内壁より外径が大きい空間を形成し、前記リング体の内壁と前記管継手の外壁との間にフローガイド用チャンネルが形成されており、前記管継手の表面の前記リング体に近接する一方の側に１つ以上の第一フローガイド孔が周設されており、前記管継手の外周縁と前記気筒との間に副通気路が形成されており、前記管継手の表面の前記リング体から離れる他方の側に１つ以上の第二フローガイド孔が周設されており、前記管継手の表面において前記第一フローガイド孔と前記第二フローガイド孔との間に少なくとも１つのＯリングが周設されており、前記管継手は前記第一内壁中で、前記第一フローガイド孔と前記第二フローガイド孔との間に短い軸方向縮径部がさらに設けられ、且つ前記軸方向縮径部の前側の前記第一内壁は、前記第二フローガイド孔に連通される主通気路を形成し、
前記活動ロッドは、末端が前記ピストンの前記結合孔に連結されており、前記末端に前記凹穴と連通する第二吸気口が設けられており、前端が前記気筒から延出しかつ前記フローガイド内に進入し、前記前端に前記第一内壁により囲まれた空間の外径より大きく前記第二内壁により囲まれた空間の外径より小さい外径を有する当接部が設けられており、前記当接部の前端にロッドが延出されており、前記ロッドの前端が前記軸方向縮径部を貫通し、前記ロッドの前端に蓋部が形成されており、前記蓋部の内径が前記第二内壁により形成された空間の外径より大きく形成されており、前記蓋部が前記軸方向縮径部を緊結または封鎖するのに用いられ、前記活動ロッドが前記ピストンと連動することで、前記蓋部の変位が制御され、前記軸方向縮径部の流通或いは封鎖が制御され、前記活動ロッドが後に移動すると、前記当接部が前記フローガイド用チャンネルの管口から脱離し第二隙間が形成されており、前記活動ロッドが前に移動すると、前記蓋部と前記軸方向縮径部との間に第三隙間が形成されており、
前記前部は、前記フローガイドの前端に結合されており、第二軸穴を有し、
前記押出管は、所定管径を有する第一パイプ、及び、前記第一パイプに連結されており前記所定管径より小さい管径を有する第二パイプを有し、前記第一パイプの内部に前記フローガイドの前記管継手が装入されており、前記第一パイプの外部に第一Ｏリングが設置されており、前記第一パイプの外部が前記第二軸穴に組み合わせられており、前記押出管が前記第二軸穴内で変位可能であり、前記第一パイプの内部に前記主通気路と連通している射撃用通気路が形成されており、前記押出管が復元すると、前記第一パイプの端面と前記第一フローガイド孔との間に第四隙間が形成されており、
第一ばねは、前記第二パイプに覆設されており、位置決め部材により前記前部の前端に定位されており、前記押出管を前記フローガイド側に付勢する付勢力を有し、
前記電磁弁により前記圧力解放用チャンネルの開閉が制御され、前記ピストンの前端気圧室及び後端気圧室の圧力差が変化し、圧縮ガスが前記フローガイドの前記第一フローガイド孔から前記副通気路に進入し、前記押出管が変位し、前方に設置されている弾丸が前に送られ、圧縮ガスが前記第二フローガイド孔から前記主通気路に注入され前記押出管の前記射撃用通気路から大量に噴出されることで弾丸が発射されることを特徴とする空気圧を用いて発射する射撃装置。
【請求項２】
前記調整体の前端と前記凹穴との間に覆設されており、前記第一ばね側に前記ピストンを付勢する付勢力を提供する第二ばねをさらに備えることを特徴とする、請求項１に記載の空気圧を用いて発射する射撃装置。
【請求項３】
前記調整体は、末端に非円形凹穴が設けられており、前記後部の前記ねじ穴から前記非円形凹穴に挿入されたスパナで、前記調整体の位置調整が可能であることを特徴とする請求項１に記載の空気圧を用いて発射する射撃装置。
【請求項４】
前記ロッドは、中段に複数のラジアル突起シートが設置されており、
前記蓋部は、前端及び後端が斜面体と形成されていることを特徴とする、請求項１に記載の空気圧を用いて発射する射撃装置。
【請求項５】
前記位置決め部材は、ボルトであり、前記前部の前記第二軸穴の前方に形成されている前記前端ねじ穴内に固着されており、内側に凸環状の当接面が設けられており、前記第一ばねを定位させることを特徴とする請求項１に記載の空気圧を用いて発射する射撃装置。
【請求項６】
前記前部と前記フローガイドとの結合端において、前記前部に第一凹部が設けられており、前記フローガイドに第一凸部が設けられており、前記第一凸部の周縁に第二Ｏリングが覆設されており、前記前部と前記フローガイドとの結合端が密封されていることを特徴とする、請求項１に記載の空気圧を用いて発射する射撃装置。
【請求項７】
前記後部は、前端に第二凸部が形成されており、
前記第二凸部は、周縁に第三Ｏリングが覆設されており、
前記後部と前記気筒の前記第二管口との結合端が密封されていることを特徴とする請求項１に記載の空気圧を用いて発射する射撃装置。
【請求項８】
前記押出管の前端に設けられており、弾丸を供給するのに用いられる弾丸充填口と、弾丸充填口と直交となるよう前記押出管に連通されている銃身とを有する弾丸充填装置をさらに備えることを特徴とする、請求項１に記載の空気圧を用いて発射する射撃装置。
【請求項９】
前記気筒、前記後部、前記電磁弁、前記フローガイド、前記前部、前記押出管、および弾丸充填装置を覆うよう設けられている外部ケースをさらに備え、
前記外部ケースは、把手部を有し、前記把手部に前記ガス供給管を挿入するのに用いられるガス入力口が形成されており、前記ガス入力口に前記ガス供給管が挿入されていることを特徴とする請求項８に記載の空気圧を用いて発射する射撃装置。
【考案の詳細な説明】
【技術分野】
【０００１】
本考案は、空気圧を用いて発射する射撃装置に関し、更に詳しくは、圧力解放用チャンネルの開閉を制御することで、流場の圧力を変化させ、空気圧方式により弾丸を発射させ、制限させるわけではないが、特にＢＢ弾用モデルガンに適用される空気圧を用いて発射する射撃装置に関する。
【背景技術】
【０００２】
ＢＢ弾を使用したエアガンやペイントボールガン等のゲームは、都市で暮らす市民にとって、都市の喧騒から離れて大自然の中で緊張感のある刺激的なゲームを行うことで、ストレスを発散させるものである。このため、ひろく行われているスポーツである。
【０００３】
続いて、ＢＢ弾用モデルガン或いはペイントボールガンは圧縮ガスにより駆動されて弾丸が発射され、その発射形態は機械式及び電子式の２種類に分けられる。機械式では、トリガーにより機械伝動機構の制御を行い、これによりガン本体内の空気の経路の開閉を制御させてＢＢ弾或いはペイントボールを発射させる。また、電子式では、トリガーにより電子装置及び電磁弁の起動状態の制御を行い、起動時に電子方式で機械伝動機構を駆動させて動作させて弾丸を発射させる。機械式エアガンでは、使用者が指でトリガーを引く速度には限りがあるため１発づつ発射させることしかできず、ゲーム感に乏しかった。反対に、電子式エアガンでは、発射速度が速いため、弾丸を連発させる機能を達成させた。
【０００４】
なお、上述のエアガンの使用において、空気圧は圧縮空気から得られ、銃身の圧力を調整させた後、弾丸に対して瞬間的に高圧を発生させて発射させる。また、発射方式には単発及び連発の２種類がある。さらに、従来の、特許文献１、特許文献２、特許文献３及び特許文献４の特許文献では、例えば、射撃装置及び圧縮空気源を制御する方法が記載されている。
【先行技術文献】
【特許文献】
【０００５】
【特許文献１】米国特許第５，７２７，５３８号明細書
【特許文献２】米国特許第６，４７４，３２６号明細書
【特許文献３】米国特許第６，５１６，７９１号明細書
【特許文献４】米国特許第６，５３２，９４９号明細書
【特許文献５】米国特許第６，６０１，７８０号明細書
【特許文献６】米国特許第６，９２５，９９７号明細書
【考案の概要】
【考案が解決しようとする課題】
【０００６】
しかしながら、前述したこれらの従来の技術では、電子制御装置及び保存された圧縮ガスの駆動方法が結合されると、機械装置固有の複雑さが増し、コストが増加する上に信頼性が低下するといった問題があった。なお、特許文献５及び特許文献の特許文献では、空気圧方法を用いて弾丸及びペイントボールを発射する発明では、安全性を高めながら故障率を低下させ、且つ発射速度を速めるといった長所があると記載されている。しかしながら、フローガイドピストン（Ｆｌｏｗ−Ｇｕｉｄｉｎｇ  Ｐｉｓｔｏｎ  ６２）がフローガイド本体（Ｆｌｏｗ−Ｇｕｉｄｉｎｇ  Ｂｏｄｙ  ６１）内で往復変移する行程が調整できず、流場の圧力の変化を調整できなかった。
【０００７】
そこで、本考案者は上記の欠点が改善可能と考え、鋭意検討を重ねた結果、合理的設計で上記の課題を効果的に改善する本考案の提案に到った。
【０００８】
本考案は、上述のような従来の問題を解決するためになされたもので、上記課題解決のため、本考案は、空気圧を用いて発射する射撃装置を提供することを主目的とする。即ち、前案の問題点を解決させ、空気圧による発射が全体的によりスムーズになり、且つ故障率を低下させ、発射速度を増す効果を獲得させる。
【０００９】
本考案の他の目的は、構造が簡単であり、装設が容易で低コストであるという効果を有する空気圧を用いて発射する射撃装置を提供する。
【００１０】
本考案のさらなる他の目的は、発射速度の調整効果を有する空気圧を用いて発射する射撃装置を提供する。
【課題を解決するための手段】
【００１１】
上述した課題を解決し、目的を達成するために、本考案に係る空気圧を用いて発射する射撃装置は、気筒の後側に結合される後部と、後部の底面に設置される電磁弁と、後部に内設される調整体と、前端気圧室及び後端気圧室が形成される気筒に内設されるピストンと、気筒の前端に結合されるフローガイドと、末端がピストンに連結され、前端が気筒から延出されてフローガイド内に進入し、ピストンと共に連動し、フローガイドの流通或いは封鎖状態の制御に用いられる活動ロッドと、フローガイドの前端に結合され、押出管及びばねを納置させる第二軸穴を有する前部と、を備える。これにより、電磁弁が圧力解放用チャンネルの開閉を制御させることで、ピストンの前端気圧室及び後端気圧室の圧力差を改変させ、圧縮ガスを先ずフローガイドの第一フローガイド孔から周囲の副通気路に進入させ、押出管が前に向けて発射位置まで送られ、第二フローガイド孔から中間の主通気路に注入された後、押出管の射撃用通気路から大量に噴出されて弾丸が発射される。これにより、電磁弁により圧力解放用チャンネルの開閉が制御されることで、ピストンの前端気圧室及び後端気圧室の圧力差が改変され、圧縮ガスを先ずフローガイドの第一フローガイド孔から副通気路に進入させ、押出管が変移され、前方に設置される弾丸が前に向けて送られ、第二フローガイド孔から主通気路に注入された後、押出管の射撃用通気路から大量に噴出されて弾丸が発射される。
【考案の効果】
【００１２】
本考案によれば、先ずピストンの前端及び後端の圧力差が改変され、通気路の制御を行い、圧縮ガスにより押出管が押されて前に移動され、弾丸が前に向けて銃身まで送られ、主通気路から大量に噴出されて弾丸が発射される。気流の供給がスムーズになり、且つ故障率が低下し、発射速度が増す。また、調整体が後部の軸穴内で変移の調整を行うことで、ピストンの往復行程が制御され、発射速度が調整される効果を有する。
【図面の簡単な説明】
【００１３】
【図１】本考案の一実施形態に係る空気圧を用いて発射する射撃装置を示す分解斜視図である。
【図１Ａ】本考案の一実施形態に係る空気圧を用いて発射する射撃装置の要部を示す分解斜視図である。
【図２】本考案の一実施形態に係る空気圧を用いて発射する射撃装置を示す斜視図である。
【図３】本考案の一実施形態に係る空気圧を用いて発射する射撃装置の活動式プラグの閉鎖の初期状態を示す断面図である。
【図３Ａ】図３における３Ａを示す拡大図である。
【図３Ｂ】図３における３Ｂを示す拡大図である。
【図３Ｃ】図３Ｂにおける３Ｃを示す拡大図である。
【図４】本考案の一実施形態に係る空気圧を用いて発射する射撃装置の活動式プラグ及び当接部の開放の初期状態を示す断面図である。
【図４Ａ】図４における４Ａを示す拡大図である。
【図４Ｂ】図４における４Ｂを示す拡大図である。
【図４Ｃ】図４Ｂにおける４Ｃを示す拡大図である。
【図５】本考案の一実施形態に係る空気圧を用いて発射する射撃装置のガスが第一フローガイド孔を経由し、第二軸穴に進入する状態を示す断面図である。
【図５Ａ】図５における５Ａを示す拡大図である。
【図５Ｂ】図５における５Ｂを示す拡大図である。
【図６】本考案の一実施形態に係る空気圧を用いて発射する射撃装置のガスが第二フローガイド孔を経由し、射撃用通気路に進入する状態を示す断面図である。
【図６Ａ】図６における６Ａを示す拡大図である。
【図６Ｂ】図６における６Ｂを示す拡大図である。
【図７】本考案の一実施形態に係る空気圧を用いて発射する射撃装置の活動式プラグの閉鎖の初期状態を示す断面図である。
【図７Ａ】図７における７Ａを示す拡大図である。
【図７Ｂ】図７における７Ｂを示す拡大図である。
【図８】本考案の一実施形態に係る空気圧を用いて発射する射撃装置の活動式プラグの閉鎖、押出し管の復帰、第二軸穴の内部気流が第一フローガイド孔から、蓋部を経由し排気する状態を示す断面図である。
【図８Ａ】図８における８Ａを示す拡大図である。
【図８Ｂ】図８における８Ｂを示す拡大図である。
【図９】本考案の一実施形態に係る空気圧を用いて発射する射撃装置の空気圧を用いて発射する射撃装置がＢＢ弾用モデルガンに使用される使用状態の模式図である。
【考案を実施するための形態】
【００１４】
本考案における好ましい実施形態について、添付図面を参照して説明する。尚、以下に説明する実施形態は、実用新案登録請求の範囲に記載された本考案の内容を限定するものではない。また、以下に説明される構成の全てが、本考案の必須要件であるとは限らない。
【００１５】
（一実施形態）
以下、本考案の一実施形態による空気圧を用いて発射する射撃装置を図１〜９に基づいて説明する。図９は本考案の空気圧を用いて発射する射撃装置９０がＢＢ弾用モデルガンに使用される使用状態の参考図であるが、ただしこれに制限されない。即ち、空気圧を用いて発射する射撃装置９０は、ペイントボールガンやエアネイラー等に使用されてもよく、詳述は省く。本実施形態は、以下ではＢＢ弾用モデルガンについて説明する。
【００１６】
図１〜図３、図３Ａ、図３Ｂ及び図３Ｃに示すように、本考案の空気圧を用いて発射する射撃装置９０は、以下の部材を備える。
まず、中空管状構造を具備し、前端及び後端には第一管口１１及び第二管口１２がそれぞれ形成され、気筒１０の底部にはガス供給管１４により注入される第一吸気口１３が設けられる気筒１０。前端が気筒１０の第二管口１２に結合され、且つ後部２０の前段部には第一軸穴２１が内設され、後段部には第一軸穴２１に連通される後ねじ穴２２が設けられ、底部には第一軸穴２１に連通される圧力解放孔２３が設けられ、圧力解放孔２３の底端には圧力解放室２４を有する後部２０。本実施形態において、後部２０の前端には第二凸部２６が形成され、且つ第二凸部２６の周縁には第三Ｏリング２７が覆設され、後部２０及び気筒１０の第二管口１２に密封が形成される。
【００１７】
電磁弁２５は、１つ以上のねじ２５６により圧力解放室２４の下方に連結され、電磁弁２５の中間の活動式プラグ２５１は圧力解放室２４の開閉の制御に用いられ、且つ活動式プラグ２５１の下段部は中空体となり、ばね２５５が内設され、管壁には第一排気口２５３が設けられる。また、電磁弁２５の底部には第二排気口２５４が設けられ、圧力解放室２４の内部のガスが第一排気口２５３を経由して第二排気口２５４に流されて電磁弁２５から排出される。本実施形態において、活動式プラグ２５１は電磁弁２５の中間の移動コアであり、その前端にはコロイド２５１１が設置される。これにより、コイル２５２が電流を受けて制御され、活動式プラグ２５１が延出或いは退縮状態を呈し、圧力解放孔２３の開閉の制御を達成させる。電磁弁２５の活動式プラグ２５１の作動原理は、先行技術（Ｐｒｉｏｒ  Ａｒｔ）に属するため、詳述はしない。
【００１８】
続いて、調整体３０は、後部２０の第一軸穴２１に内設され、その末段はねじ山体３１として設けられ、ねじ穴２２に螺合される。調整体３０の前段は圧力解放用チャンネル３２を有し、圧力解放用チャンネル３２の末端は圧力解放孔２３との連通が形成され、前端には流通孔３５が設けられる。本実施形態において、調整体３０の末端には六角孔等の非円形凹穴３３が設けられ、六角形スパナ３４が後部２０の後ねじ穴２２から非円形凹穴３３に装入され、調整体３０の第一軸穴２１内での変移が調整され、調整体３０の前端面の位置がさらに調整され、その機能の説明は後述する。
【００１９】
さらに、ピストン４０は第二管口１２内に覆設され、その前段には結合孔４１が設けられ、末段には結合孔４１に連通される凹穴４２が設けられる。また、ピストン４０の周縁にはＯリング４４が設置される。好ましい実施形態において、小さい第二ばね４３は調整体３０の前端と凹穴４２との間に覆設され、ピストン４０に前に向けての弾性推進力を提供し、ただしこれに制限されない。ピストン４０が気圧により前に向けて推進されてもよく、小さい第二ばね４３は補助的な性質であり、反応を速めるためのものにすぎない。
【００２０】
フローガイド５０は気筒１０の前端に結合され、フローガイド５０の前段は第一内壁５１１を有する管継手５１であり、後段には第二内壁５２１を有するリング体５２が形成される。第二内壁は第一内壁より外径が大きい空間を形成し、且つリング体５２の第二内壁５２１と管継手５１の第一内壁５１１との間には連通されるフローガイド用チャンネル５２２が形成される。また、管継手５１の表面のリング体５２に近接される一側には１つ以上の第一フローガイド孔５１２が周設され、且つ管継手５１の表面のリング体５２から離れる他側には１つ以上の第二フローガイド孔５１３が周設される。管継手５１の表面には２つ以上のＯリング５１４が少なくとも周設され、管継手５１の外周縁と気筒１０との間に副通気路５３が形成され、且つ第一フローガイド孔５１２と第二フローガイド孔５１３との間に周設される１つのＯリング５１４を少なくとも有する。なお、管継手５１は第一内壁５１１中で、第一フローガイド孔５１２と第二フローガイド孔５１３との間に短い軸方向縮径部５１５がさらに設けられ、且つ軸方向縮径部５１５の前側の第一内壁５１１は第二フローガイド孔５１３に連通される主通気路５４を形成し、即ち、第一内壁５１１は弾丸を発射させる主通気路５４を形成する。
【００２１】
活動ロッド６０は、その末端６１がピストン４０の結合孔４１に連結され、且つ末端６１には凹穴４２に連通される第二吸気口６２が設けられる。また、活動ロッド６０の前端は気筒１０から延出されると共にフローガイド５０内に進入し、前端は外径が第一内壁５１１により囲まれた空間の外径より大きく第二内壁５２１により囲まれた空間の外径より小さい当接部６３を備える。当接部６３の前端からはロッド６４が延伸され、ロッド６４の前端は軸方向縮径部５１５を穿通させると共に内径が第二内壁により囲まれた空間の外径より大きく軸方向縮径部５１５に緊結されるか封鎖させる蓋部６５が形成され、活動ロッド６０はピストン４０と共に連動し、蓋部６５の変移の制御に用いられる。蓋部６５は前端及び後端が斜面体として設けられ、軸方向縮径部５１５の流通或いは封鎖状態の制御を達成させる。なお、活動ロッド６０が後に移動すると、当接部６３がフローガイド用チャンネル５２２の管口から脱離され、第二隙間（Ｓ２）が形成され、且つ活動ロッド６０が前に移動すると、蓋部６５及び軸方向縮径部５１５が第三隙間（Ｓ３）を形成させる。
【００２２】
本実施形態では、ロッド６４の中段には複数のラジアル突起シート６４１が設置され、ロッド６４がフローガイド５０内で軸向に変移される安定性を向上させる。前部７０はフローガイド５０の前端に結合され、第二軸穴７１を有する。本実施形態において、前部７０及びフローガイド５０の結合端は、前部７０に第一凹部７５が設けられ、フローガイド５０に対応される第一凸部５５が設けられ、且つ第一凸部５５の周縁には第二Ｏリング５６が覆設され、前部７０及びフローガイド５０の結合端に密封が形成される。
【００２３】
押出管８０は大きい管径の第一パイプ８１及び第一パイプ８１に連結されると共に管径が小さい第二パイプ８２を有し、第一パイプ８１の内径にはフローガイド５０の管継手５１が装入され、その外径は第二軸穴７１に適合されると共に第一Ｏリング８３が設置され、押出管８０が第二軸穴７１内で変移され、且つ第一パイプ８１の内部には主通気路５４に連通される射撃用通気路８４が形成される。押出管８０が復帰すると、第一パイプ８１の端面と第一フローガイド孔５１２との間に第四隙間（Ｓ４）が形成される。
【００２４】
第一ばね７２は第二パイプ８２に覆設され、且つ位置決め部材７３は前部７０の前端により第一ばね７２を定位させ、押出管８０の内に向ける付勢力を保持させ、且つ前後の変移の行程を制限させる。本実施形態において、位置決め部材７３は、ボルトであり、前部７０の第二軸穴７１の前方に形成される前端ねじ穴７４に固着され、且つ位置決め部材７３の内側には凸環状の当接面７３１が設けられ（図１及び図３参照）、第一ばね７２を定位させる。
【００２５】
上述したように、本考案は前部７０、フローガイド５０、気筒１０、及び末部の後部２０の順に隣接される結合端が、ねじ穴及びねじ（図示せず）等の結合構造及び部材により固着される。しかしながら、これは一般的な機構の結合方式であるため、詳述はしない。
【００２６】
さらに、図９は本考案の空気圧を用いて発射する射撃装置９０がＢＢ弾用モデルガンに使用される使用状態の概念図である。空気圧を用いて発射する射撃装置９０の押出管８０の前端は弾丸充填装置１００に連結され、弾丸充填装置１００は弾丸（ＢＢ弾）１０２を供給する弾丸充填口１０１、及び弾丸充填口１０１に垂直になると共に押出管８０に連通される銃身１０３を備える。押出管８０の射撃用通気路８４が気流を送出させると、弾丸１０２が銃身１０３を経由して発射される。また、空気圧を用いて発射する射撃装置９０及び弾丸充填装置１００は外部ケース２００により被覆され、外部ケース２００は電磁弁２５及びガス供給管１４の相対位置に握持部２０１が形成され、圧縮ガス（Ａ）がガス入力口２０２から注入され、且つガス供給管１４に連結される。圧縮ガス（Ａ）の気圧源は気圧瓶或いは他の気圧装置である。なお、握持部２０１の前にはトリガー２０３が設置され、且つ弾丸充填装置１００の下方には弾倉２０４が装設される。しかしながら、これらの部材はＢＢ弾用モデルガンの先行技術であり、本考案の目的ではないため、詳述はしない。
【００２７】
本考案の空気圧を用いて発射する射撃装置９０の作動及び使用の変化については、以下の図式を参照して説明する。
まず、図３、図３Ａ、図３Ｂ及び図３Ｃに示すように、電磁弁２５の活動式プラグ２５１が閉まる初期状態では、活動式プラグ２５１が圧力解放室２４の圧力解放孔２３を封鎖させる。本実施形態において、第二ばね４３がピストン４０に前に向けての推進力を提供し、これによりピストン４０が前に移動する状態になり、調整体３０の前端面との第一隙間（Ｓ１）が形成され、供給される圧縮ガス（Ａ）を第一吸気口１３から前端気圧室１０ａに進入させた後、活動ロッド６０の第二吸気口６２を経て後端気圧室１０ｂに高速に進入させる。当然ながら、圧縮ガス（Ａ）は第一隙間（Ｓ１）から後端気圧室１０ｂに進入される以外、調整体３０の前端に設けられる流通孔３５から後端気圧室１０ｂに進入されてもよい。即ち、ピストン４０が後に移動されて調整体３０の前端面に当接され、第一隙間（Ｓ１）が無くなっても、圧縮ガス（Ａ）及び後端気圧室１０ｂの流通に影響は出ない。第一隙間（Ｓ１）の大きさによりピストン４０の往復行程が制御され、調整体３０が後部２０の第一軸穴２１内で変移の調整を行って所定の大きさの第一隙間（Ｓ１）を獲得させる。また、図に示すように、圧力解放孔２３は活動式プラグ２５１により封鎖されるため、後端気圧室１０ｂの圧縮ガス（Ａ）が放出されず、これによりピストンの前端及び後端の圧力差が改変され、ピストン４０が前に向けて推移され、且つ活動ロッド６０の当接部６３がフローガイド用チャンネル５２２の管口に当接され、前端気圧室１０ａ内の圧縮ガス（Ａ）がフローガイド用チャンネル５２２から流出するのを阻害する（同時に圧力Ｘによりフローガイド用チャンネル５２２の面積の前への推進力を発生させる）。このさい、前部７０内の押出管８０が第一ばね７２の弾力を受けて回復状態になる。
【００２８】
続いて、図４、図４Ａ、図４Ｂ及び図４Ｃに示すように、活動式プラグ２５１がトリガー２０３の制御により下に移動されて圧力解放孔２３が開かれ、このさい、後端気圧室１０ｂ内の圧縮ガス（Ａ）が圧力解放用チャンネル３２を経由して圧力解放室２４に流され、且つ活動式プラグ２５１の第一排気口２５３を経て流出され、電磁弁２５の第二排気口２５４から排出される。これにより、後端気圧室１０ｂの内部には圧縮ガス（Ａ）がなくなり、このさい、前端気圧室１０ａ内の圧縮ガス（Ａ）がピストン４０の圧力面積及び付勢力に作用して第二ばね４３の弾力＋フローガイド用チャンネル５２２の面積への圧力Ｘより大きい力に変換され、活動ロッド６０の当接部６３がフローガイド用チャンネル５２２の管口から脱離され、第二隙間（Ｓ２）が形成され、前端気圧室１０ａ内の限定量の圧縮ガス（Ａ）がフローガイド用チャンネル５２２から流出され、第一フローガイド孔５１２及び第四隙間（Ｓ４）を経て周囲の副通気路５３に注入され、圧縮ガス（Ａ）が押出管８０の第二パイプ８２内の端面に流される。
【００２９】
図５、図５Ａ、図５Ｂには圧縮ガス（Ａ）により押出管８０が徐々に前に移動される過程を図示する。このさい、押出管８０の第一パイプ８１がすでに第一フローガイド孔５１２から脱離されているが、第二フローガイド孔５１３からは脱離されておらず、同時に、押出管８０が弾丸１０２を弾丸充填口１０１から前に向けて銃身１０３内まで押す。
【００３０】
次は、図３、図６Ａ、図６Ｂに示すように、押出管８０の第一パイプ８１が第二フローガイド孔５１３から脱離されると、圧縮ガス（Ａ）が副通気路５３から第二フローガイド孔５１３を経て主通気路５４（即ち、第一内壁５１１）に注入される。その後、押出管８０の射撃用通気路８４から大量に噴出されて弾丸１０２が発射される。
【００３１】
次は、図７、図７Ａ、図７Ｂに示すように、活動式プラグ２５１が上に移動されて元のように圧力解放用チャンネル３２を封鎖させる。このさい、圧力の流場が変化し、後端気圧室１０ｂが戻り圧力を発生させ、ピストン４０が前に向けて移動されると、第一ばね７２が押出管８０を、図８、図８Ａ、図８Ｂに示すように内に向けて復帰させ、ピストン４０が初期状態を回復させる。即ち、ピストン４０が再度前に向けて推移され、活動ロッド６０の当接部６３が再びフローガイド用チャンネル５２２の管口に当接され、第二隙間（Ｓ２）が封鎖され、前端気圧室１０ａ内の圧縮ガス（Ａ）がフローガイド用チャンネル５２２から流出しないように阻害され、ただし第三隙間（Ｓ３）は開かれて、残りのガスが排出される。このさい、本考案は図３に示す初期状態に戻り、前部７０内の押出管８０は第一ばね７２の弾力を受けて回復状態になり、且つ第一隙間（Ｓ１）が開かれる。
【００３２】
上述の技術手段により、本考案空気圧を用いて発射する射撃装置９０は、ガス流場の圧力が変化し、先ず小さな気流が押出管８０を押動させ、弾丸が先に送られ、続いて大量に噴射される気流により押動されて発射される。この二段階のガス推進供給方式により、後述のように効果が増強される。
一、本考案は電磁弁２５により圧力解放用チャンネル３２の開閉が制御されることで、ピストンの前端気圧室１０ａ及び後端気圧室１０ｂの圧力差が改変される。先ず、圧縮ガス（Ａ）をフローガイド５０の第一フローガイド孔５１２から副通気路５３に進入させ、押出管８０を前に移動させ、前方に設置される弾丸１０２を前に送る。その後、圧縮ガス（Ａ）が第二フローガイド孔５１３から主通気路５４に注入された後、押出管８０の射撃用通気路８４から大量に噴出されて弾丸１０２を発射させる。気流の供給がスムーズになり、発射速度が増す。
二、本考案の構造は単純で装設が容易であり、故障率が低下し、且つ空気圧を用いて発射する射撃装置９０が全体的にモジュール化されることで、異なる様式のエアガンに適用可能になり、使用範囲が広がる。
三、より重要な点として、主通気路５４が気流に使用されると、副通気路５３が合流状態になって主通気路５４に注入される。これにより、大量の気流が完全に集中するため分散されず、スムーズに軸向に噴射されて弾丸を押動させる。本考案の圧縮ガス（Ａ）の圧力が低圧の場合でも、弾丸が所定の距離までスムーズに発射されるため、圧縮ガス（Ａ）の圧力が低下し、安全性が高まるほか、コストも低下する。
四、本考案では前記調整体３０が後部２０の第一軸穴２１内で変移を調整させることで、ピストン４０の往復行程が制御され、発射速度が調整される効果を有する。
【００３３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、請求項に含まれるものとする。
【符号の説明】
【００３４】
１０  気筒
１０ａ  前端気圧室
１０ｂ  後端気圧室
１１  第一管口
１２  第二管口
１３  第一吸気口
１４  ガス供給管
２０  後部
２１  第一軸穴
２２  ねじ穴
２３  圧力解放孔
２４  圧力解放室
２５  電磁弁
２５１  活動式プラグ
２５１１  コロイド
２５２  コイル
２５３  第一排気口
２５４  第二排気口
２５５  第三ばね
２５６  ねじ
２６  第二凸部
２７  第三Ｏリング
３０  調整体
３１  ねじ山体
３２  圧力解放用チャンネル
３３  非円形凹穴
３４  スパナ
３５  流通孔
４０  ピストン
４１  結合孔
４２  凹穴
４３  第二ばね
４４  第四Ｏリング
５０  フローガイド
５１  管継手
５１１  第一内壁
５１２  第一フローガイド孔
５１３  第二フローガイド孔
５１４  Ｏリング
５１５  軸方向縮径部
５２  リング体
５２１  第二内壁
５２２  フローガイド用チャンネル
５３  副通気路
５４  主通気路
５５  第一凸部
５６  第二Ｏリング
６０  活動ロッド
６１  末端
６２  第二吸気口
６３  当接部
６４  ロッド
６４１  ラジアル突起シート
６５  蓋部
７０  前部
７１  第二軸穴
７２  第一ばね
７３  位置決め部材
７３１  当接面
７４  前端ねじ穴
７５  第一凹部
８０  押出管
８１  第一パイプ
８２  第二パイプ
８３  第一Ｏリング
８４  射撃用通気路
９０  空気圧を用いて発射する射撃装置
１００  弾丸充填装置
１０１  弾丸充填口
１０２  弾丸
１０３  銃身
２００  外部ケース
２０１  把手部
２０２  ガス入力口
２０３  トリガー
２０４  弾倉
（Ｓ１）  第一隙間
（Ｓ２）  第二隙間
（Ｓ３）  第三隙間
（Ｓ４）  第四隙間
（Ａ）  圧縮ガス
【図１】
0003203343.tif 000003
【図１Ａ】
0003203343.tif 000004
【図２】
0003203343.tif 000005
【図３】
0003203343.tif 000006
【図３Ａ】
0003203343.tif 000007
【図３Ｂ】
0003203343.tif 000008
【図３Ｃ】
0003203343.tif 000009
【図４】
0003203343.tif 000010
【図４Ａ】
0003203343.tif 000011
【図４Ｂ】
0003203343.tif 000012
【図４Ｃ】
0003203343.tif 000013
【図５】
0003203343.tif 000014
【図５Ａ】
0003203343.tif 000015
【図５Ｂ】
0003203343.tif 000016
【図６】
0003203343.tif 000017
【図６Ａ】
0003203343.tif 000018
【図６Ｂ】
0003203343.tif 000019
【図７】
0003203343.tif 000020
【図７Ａ】
0003203343.tif 000021
【図７Ｂ】
0003203343.tif 000022
【図８】
0003203343.tif 000023
【図８Ａ】
0003203343.tif 000024
【図８Ｂ】
0003203343.tif 000025
【図９】
0003203343.tif 000026